(57)【要約】      （修正有）【課題】特に、山間部においては、集中豪雨などにより地表斜面が崩壊する土砂災害が毎年多く発生しており、この種の災害を防ぐため、傾斜地盤の支圧と地下水の排出とを同時に実施できる有効かつ簡便な器材を提供する。【解決手段】筒状をなし、先端開口部が閉塞板２によって閉塞され、該閉塞板２に堀削刃３が固定されると共に、先端寄りの外周に一個又は複数個の螺旋翼４が固定され、周壁５には複数の透過６が形成され、頭部寄りの外周に雄ねじ１２が形成されている鋼管製のアンカー体１と；前記アンカー体１の透孔６の孔径より小さい網目を有し、前記アンカー体１の内部空間に挿入されるメッシュ状筒体９と；中央に前記アンカー体１の頭部を挿通させる貫通孔１１を有し、この貫通孔１１の上面に前記アンカー体１の雄ねじ１２に螺合するナット１３を位置させた支圧盤１０と；アンカー体１の頭部開口端を着脱自在に閉塞するキャップ１４；とから傾斜地盤安定具。【選択図】  図２
2006226051.tif 000002
【特許請求の範囲】
【請求項１】
筒状をなし、先端開口部が閉塞板２によって閉塞され、該閉塞板２に堀削刃３が固定されていると共に、先端寄りの外周には一個又は複数個の螺旋翼４が固定され、周壁５には複数の透過６が形成されており、頭部寄りの外周には雄ねじ１２が形成されている鋼管製のアンカー体１と；前記アンカー体１の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記アンカー体１の雄ねじ１２に螺合するナット１３が位置せしめられている支圧盤１０と；アンカー体１の頭部開口端を着脱自在に閉塞するキャップ１４；とからなることを特徴とする傾斜地盤安定具。
【請求項２】
筒状をなし、先端開口部が閉塞板２によって閉塞され、該閉塞板２に堀削刃３が固定されていると共に、先端寄りの外周には一個又は複数個の螺旋翼４が固定され、周壁５には複数の透過６が形成されており、頭部寄りの内周にはめねじ１７が形成されている鋼管製のアンカー体１と；前記アンカー体１のめねじ１７に螺合する雄ねじ１９が外周に形成された延長用鋼管１８と；前記アンカー体１の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記延長用鋼管１８の雄ねじ１９に螺合するナット１３が位置せしめられている支圧盤１０と；アンカー体１の頭部開口端を着脱自在に閉塞するキャップ１４；とからなることを特徴とする傾斜地盤安定具。
【請求項３】
円柱状をなし、先端面には掘削刃３が取付けられていると共に、頭部側には截頭円錐形のテーパ状部３２が形成されており、このテーパ状部３２の端面中央からは同軸状に角柱状をなした接続係合用突起３３が植設された掘削ビット３１と；円筒状をなし、前記掘削ビット３１のテーパ状部３２の小径部分よりわずかに大きい内径を有し、先端側から軸芯方向に複数のスリット３９が形成され、頭部寄りの外周には雄ねじ１２が形成されている共に、周壁５には複数の透孔６が形成されている楔締用鋼管３８と；前記楔締用鋼管３８の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記アンカー体１の雄ねじ１２に螺合するナット１３が位置せしめられている支圧盤１０と；楔締用鋼管３８の頭部開口端を着脱自在に閉塞するキャップ１４；とからなることを特徴とする傾斜地盤安定具。
【請求項４】
円柱状をなし、先端面には掘削刃３が取付けられていると共に、頭部側には截頭円錐形のテーパ状部３２が形成されており、このテーパ状部３２の端面中央からは同軸状に角柱状をなした接続係合用突起３３が植設された掘削ビット３１と；円筒状をなし、前記掘削ビット３１のテーパ状部３２の小径部分よりわずかに大きい内径を有し、先端側から軸芯方向に複数のスリット３９が形成され、頭部寄りの外周にはめねじ１７が形成されている共に、周壁５には複数の透孔６が形成されている楔締用鋼管３８と；前記楔締用鋼管３８のめねじ１７に螺合する雄ねじ１９が外周に形成された延長用鋼管１８と；前記楔締用鋼管３８の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記アンカー体１の雄ねじ１２に螺合するナット１３が位置せしめられている支圧盤１０と；楔締用鋼管３８の頭部開口端を着脱自在に閉塞するキャップ１４；とからなることを特徴とする傾斜地盤安定具。
【請求項５】
メッシュ状筒体9が、メッシュ状外筒２０の内側に金属製あるいは合成樹脂製の多孔管２１を内挿せしめた二層構造になっていることを特徴とする請求項１乃至４記載の傾斜地盤安定具。
【請求項６】
請求項１乃至４に記載する傾斜地盤安定具を略水平方向から傾斜地盤に固定したことを特徴とする傾斜地盤安定化工法。
【請求項７】
請求項１乃至４に記載する傾斜地盤安定具を略水平方向及び斜め上方から傾斜地盤に固定したことを特徴とする傾斜地盤安定化工法。
【発明の詳細な説明】
【技術分野】
【０００１】
この発明は土木工事用資材、詳しくは、崩壊の危険がある傾斜地盤を単に固定するだけではなく、地盤中の地下水を排出して地盤強度をより積極的に向上させることが出来る傾斜地盤安定具及びそれを用いた安定化工法に関するものである。
【背景技術】
【０００２】
特に、山間部においては、集中豪雨などにより地表面の土砂が水分を含んで飽和状態となり、地表斜面が崩壊する土砂災害が毎年多く発生している。これら地表斜面の崩壊の約７０％は地表面下２ｍ前後で起きており、この崩壊土以深には安定した岩盤あるいは硬質土が存在していることは明らかである。又、地下水の上昇が地表面の崩壊要因の一つであることも従来より知られている。
【特許文献１】特許第３０３３６７８号公報
【非特許文献１】なし
【発明の開示】
【発明が解決しようとする課題】
【０００３】
前記特許文献１には、掘削ドリルの先端にロックボルトを接続し、ロックボルトの先端に取付けられた掘削ビットにより、地表面の下層に位置した岩盤を掘削し、形成された掘削孔にグラウト材（セメントミルク）を充填し、グラウト材によってロックボルトと岩盤とを結合させてアンカー機能を持たせると共に、ロックボルトの頭部を地表上に突出させ、支圧盤に接続してロックボルトに緊張力を与え、支圧盤によって地盤を圧縮してこれを支持する傾斜面の安定化工法が開示されている。
【０００４】
この前記特許文献１に開示されている傾斜面安定化工法においては、岩盤を掘削し、掘削した穴にグラウト材（セメントミルク）を注入してロックボルトと岩盤とを固定する様にしているが、グラウト材の場合、硬化強度にバラツキが生じやすく、アンカーとしてのロックボルトの引張り強度を十分に確保できないばかりではなく、周辺の地下水汚染の原因となり、生活環境に悪影響を与えるおそれもあった。
【０００５】
又、岩盤を掘削した際には当然に掘削排土が生じるので、この掘削排土の処理に多大な手間と費用が必要であった。更には、アンカーは単に固定具としての機能しか持ち得なかったので、地盤中の地下水を積極的に排出することは出来ず、地下水をコントロールすることによる地盤強化はなし得なかった。
【０００６】
本発明者は、上述の通り、技術的に問題の多かった傾斜地盤の安定化を実現すべく鋭意研究を行った結果、傾斜地盤を安定的かつ確実に固定できると共に、地盤中の地下水を積極的に排出させることにより、地盤の強度をより一層高める事が出来る傾斜地盤安定具を開発することに成功し、本発明としてここに提案するものである。
【課題を解決するための手段】
【０００７】
請求項1の発明は、筒状をなし、先端開口部が閉塞板２によって閉塞され、該閉塞板２に堀削刃３が固定されていると共に、先端寄りの外周には一個又は複数個の螺旋翼４が固定され、周壁５には複数の透過６が形成されており、頭部寄りの外周には雄ねじ１２が形成されている鋼管製のアンカー体１と；前記アンカー体１の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記アンカー体１の雄ねじ１２に螺合するナット１３が位置せしめられている支圧盤１０と；アンカー体１の頭部開口端を着脱自在に閉塞するキャップ１４；とから傾斜地盤安定具を構成した。
【０００８】
又、請求項２に係る発明は、筒状をなし、先端開口部が閉塞板２によって閉塞され、該閉塞板２に堀削刃３が固定されていると共に、先端寄りの外周には一個又は複数個の螺旋翼４が固定され、周壁５には複数の透過６が形成されており、頭部寄りの内周にはめねじ１７が形成されている鋼管製のアンカー体１と；前記アンカー体１のめねじ１７に螺合する雄ねじ１９が外周に形成された延長用鋼管１８と；前記アンカー体１の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記延長用鋼管１８の雄ねじ１９に螺合するナット１３が位置せしめられている支圧盤１０と；アンカー体１の頭部開口端を着脱自在に閉塞するキャップ１４；とから傾斜地盤安定具を構成した。
【０００９】
更に、請求項３に係る発明は、円柱状をなし、先端面には掘削刃３が取付けられていると共に、頭部側には截頭円錐形のテーパ状部３２が形成されており、このテーパ状部３２の端面中央からは同軸状に角柱状をなした接続係合用突起３３が植設された掘削ビット３１と；円筒状をなし、前記掘削ビット３１のテーパ状部３２の小径部分よりわずかに大きい内径を有し、先端側から軸芯方向に複数のスリット３９が形成され、頭部寄りの外周には雄ねじ１２が形成されている共に、周壁５には複数の透孔６が形成されている楔締用鋼管３８と；前記楔締用鋼管３８の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記アンカー体１の雄ねじ１２に螺合するナット１３が位置せしめられている支圧盤１０と；楔締用鋼管３８の頭部開口端を着脱自在に閉塞するキャップ１４；とから傾斜地盤安定具を構成した。
【００１０】
そして又、請求項４に係る発明は、円柱状をなし、先端面には掘削刃３が取付けられていると共に、頭部側には截頭円錐形のテーパ状部３２が形成されており、このテーパ状部３２の端面中央からは同軸状に角柱状をなした接続係合用突起３３が植設された掘削ビット３１と；円筒状をなし、前記掘削ビット３１のテーパ状部３２の小径部分よりわずかに大きい内径を有し、先端側から軸芯方向に複数のスリット３９が形成され、頭部寄りの外周にはめねじ１７が形成されている共に、周壁５には複数の透孔６が形成されている楔締用鋼管３８と；前記楔締用鋼管３８のめねじ１７に螺合する雄ねじ１９が外周に形成された延長用鋼管１８と；
前記楔締用鋼管３８の透孔６の孔径より小さい網目を有し、前記アンカー体１の内部空間に挿入されるメッシュ状筒体９と；中央に前記アンカー体１の頭部を挿通せしめる貫通孔１１を有し、この貫通孔１１の上面に前記アンカー体１の雄ねじ１２に螺合するナット１３が位置せしめられている支圧盤１０と；楔締用鋼管３８の頭部開口端を着脱自在に閉塞するキャップ１４；とから傾斜地盤安定具を構成した。
【発明の効果】
【００１１】
アンカーとして作用する楔締用鋼管３８又はアンカー体１は、岩盤４０あるいは砂質土や粘性土などからなる支持地盤１５に確実に固定され、十分な緊張力を支圧盤１０に加えることが出来、傾斜地盤を確実かつ安定的に保持することが可能となる。又、この傾斜地盤安定具において用いられている鋼管を大径肉厚とした場合、鋼管は自立して地滑りの水平方向の動きにも十分抗することが出来る様になる。更に、グラウト材を用いて地盤に固定するのでない為、緊張力にバラツキが生じることがなく、面的な広がりを持った所望区域に均一な押圧力を加え、土砂崩壊を防ぐことが出来ると共に、地下水汚染のおそれもなくなり、環境保全上からも非常に有利である。
【００１２】
更に、アンカー体１及び楔締用鋼管３８の周壁５には透孔６が設けられているので、地盤中の地下水はこの透孔６からアンカー体１及び楔締用鋼管３８の内部に吸収され、地下水の滞溜及び水位上昇による地盤の強度低下が阻止され、傾斜地盤の固定がより一層強固となる。
【発明を実施するための最良の形態】
【００１３】
支持地盤１５や岩盤４０に固定され、支圧機能を果たすアンカー体１又は楔締用鋼管３８に透孔６を設け、透孔６を通してこれらの内部に地盤中の地下水を流入させる様にした点に本発明の最大の特徴が存在する。
【実施例１】
【００１４】
図１はこの発明に係る傾斜地盤安定具の実施例１の正面図、図２は同じくその縦断面図である。
【００１５】
図中１は円筒状をなした鋼管製のアンカー体であり、円板状をなした閉塞板２によって先端開口部が閉塞されており、この閉塞板２には堀削刃３が固定されている。又、このアンカー体１の先端寄りの外周には螺旋翼４が固定されている。なお、この実施例１においては、螺旋翼４は一個だけ設けられているが、図３に示すものの様に、螺旋翼４を間隔をあけて複数個設けても良く、又、先端寄りに小径の螺旋翼４を、頭部寄りに大径の螺旋翼４を、という様に大きさの異なる螺旋翼４を複数個設けても良い。
【００１６】
又、このアンカー体１の周壁５には複数の透孔６があけられている。なお、この透孔６は、アンカー体１を地表７から地中に掘進させたとき、少なくとも地中の帯水層８に接触する箇所に設けられているが、アンカー体１の頭部から先端付近まで周壁５の全域にわたって設けても良い。
【００１７】
更に、このアンカー体１の頭部寄りの周壁５には、頭部開口端まで雄ねじ１２が形成されている。又、９は前記透孔６の孔径より小さい網目を有する金属製あるいは合成樹脂製の円筒状をなしたメッシュ状筒体であり、アンカー体１の内側空間に内挿されている。
【００１８】
又、１０は盤状をなした支圧盤であり、中央には前記アンカー体１の頭部側を挿通させる貫通孔１１が形成されており、この貫通孔１１の上面にはアンカー体1の雄ねじ１２に螺合するナット１３が位置せしめられている。なお、この実施例１においては、支圧盤１０は円形の平面形状をなしているが、四角形などの多角形やヒトデ形など円形以外の平面形状のものを採用して良いことはもちろんである。更に、アンカー体１の頭部開口端にはキャップ１４が着脱自在に嵌め込まれている。
【００１９】
この実施例１は上記の通りの構成を有するものであり、下記の要領により、傾斜地盤の固定に用いられる。即ち、アンカー体１の頭部に図示を省略した堀削ドリルを接続し、これによりアンカー体１を回転させ、螺旋翼４の螺旋前進力によってアンカー体１を地表７から地中にねじ込み、螺旋翼４が支持地盤１５に達したなら堀削ドリルを分離し、地表７に突出しているアンカー体１の頭部に支圧盤１０の貫通孔１１を挿通させ、アンカー体１の雄ねじ１２にナット１３を螺合してこれを締め付け、アンカー体１に緊張力を付与すると共にアンカー体１の頭部開口部にキャップ１４を嵌め込んで、設置を完了する。
【００２０】
このとき、アンカー体１の周壁５には透孔６が設けられていると共に、アンカー体１の内側空間にはメッシュ状筒体９が内挿されているので、支持地盤１５の上部に地下水を含んだ帯水層８が存在している場合には、地下水はアンカー体１の透孔６及びメッシュ状筒体９を通ってアンカー体１の内部空間に流入し、これによって地下水の上昇は阻止され、地盤の安定化が図られる。
なお、通常は図６に示す場合の様に、地表７に対して斜め上方からアンカー体１を固定するが、排水機能を特に重視したい場合には、図１７に示す様に、アンカー体１を略水平方向から固定する様にすれば良く、この場合にはアンカー体１内に流入した地下水はアンカー体１の頭部から外部へ自然排出されることになる。
又、排出機能と地盤の支圧機能を共に重視したい場合には、図１８に示す様に、アンカー体１を略水平方向と斜め上方から交互に固定する様にすればよい。
【００２１】
なお、アンカー体１の内部には透孔６の孔径より小さい網目を有するメッシュ状筒体９が内挿されているので、このメッシュ状筒体９の濾過機能によってアンカー体1内への土砂の流入は阻止され、目詰りをおこすことはなく、長期間にわたってスムースに地下水の流入が行われる。又、アンカー体１の頭部開口端にはキャップ１４が嵌め込まれているので、頭部開口端からの土砂の流入も阻止される。なお、アンカー体１内に流入した地下水はアンカー体１内にそのまま滞溜させても良いが、地下水をより一層減少させたい場合には、キャップ１４をはずしてアンカー体１の頭部開口端からパイプを挿入し、ポンプでアンカー体１の内部に滞溜している水を積極的に吸い上げる様にしても良い。
【００２２】
この様に、この実施例１においては、アンカー体１の固定機能は地下水の吸収によって強化され、従来のものに比べ、はるかに強力に傾斜地盤の固定を実施することが出来る。
【実施例２】
【００２３】
図４はこの発明に係る傾斜地盤安定具の実施例２の正面図、図５は同じくその縦断面図である。
【００２４】
この実施例２においては、アンカー体１の頭部寄りの内側周壁にはめねじ１７が形成されており、このめねじ１７に延長用鋼管１８の外周壁に形成されている雄ねじ１９を螺合させることにより、アンカー体１の頭部に延長用鋼管１８を長さ調整自在に接続出来る様になっている。そして、この延長用鋼管１８は支圧盤１０の貫通孔１１に挿通され、ナット１３によって支圧盤１０に固定される様になっている。なお、他の部分は上述の実施例１と同じであるので同一符号を付してその説明を省略する。
【００２５】
この実施例２も、上述の実施例１と同じ要領により地中に設置して傾斜地盤固定の用に供するものであるが、アンカー１は延長用鋼管１８を介して支圧盤１０に固定される様になっており、延長用鋼管１８のねじ込み量を調整することによりアンカー体１の実質的長さを自由に変更することが出来るので、図６に示す様に硬質で安定した支持地盤１５が不陸（ふりく）状態であっても、地表７へ突出する延長用鋼管１８の頭部の長さをほぼ同一になる様にそろえることが出来、レベル調整の為にその頭部を削り揃える手間がなく、作業性が極めて良好である。又、この実施例においても、図１７及び図１８に示す様な固定方法を用いることが出来る。
【００２６】
なお、上述の実施例１及び２においては、メッシュ状筒体９は単層構造のものを用いたが、図７に示す様に、金属製あるいは合成樹脂製の濾過機能を有するメッシュ状外筒２０内に金属製あるいは合成樹脂製の多孔管２１を内装した二層構造のメッシュ状筒体９を用いても良く、この場合はメッシュ状筒体９の剛性を向上させることが出来る。
【実施例３】
【００２７】
図８はこの発明に係る傾斜地盤安定具の実施例３の正面図、図９はその縦断面図である。
【００２８】
図中３１は堀削ビットであり、堅牢な金属を素材とし、図１０に詳記する様に円柱状をなし、その先端側端面には掘削刃３が取付けられていると共に、頭部側には截頭円錐形のテーパ状部３２が一体的に形成されており、このテーパ状部３２の端面中央からは同軸状部角柱状をなした接続係合用突起３３が突設されている。
又、図１０において、３４は延長シャフトであり、前記掘削ビット３１より若干小さい外径を有する円柱状をなしており、その先端側の端面には前記掘削ビット３１の接続係合用突起３３と係合する接続係合用凹穿部３５が同軸状に形成されており、頭部側には掘削ドリル７に接続させる為の雄ねじ３７が同軸状に突設されている。
【００２９】
図８及び図９において、３８は楔締用鋼管であり、図１１に詳記する様に、円筒状をなしており、その内径は前記掘削ビット３１のテーパ状部３２の小径部分よりわずかに大きく形成されていると共に、先端側からは長手方向即ち軸芯に沿って複数条のスリット３９が形成されている。
又、その周壁５には複数の透孔６が形成されていると共に、頭部寄りの部分には雄ねじ１２が形成されている。
【００３０】
又、図９において、９はこの楔締用鋼管３８の内部空間に挿入されるメッシュ状筒体であり、このメッシュ状筒体９は前述の実施例１のものと全く同じである。他の部分は前述の実施例１のものと全く同じであり、同一符号を付してその説明を省略する。
【００３１】
この様に、この実施例３は掘削ビット３１、楔締用鋼管３８、支圧盤１０、メッシュ状筒体９などにより構成されており、下記の要領によって傾斜地盤の固定に用いられる。
即ち、図１２に示す様に、掘削ドリル３６の先端に延長シャフト３４を接続し、更にこの延長シャフト３４の先端側の凹穿部３５に掘削ビット３１の接続係合用突起３３を係合させ、延長シャフト３４に掘削ビット３１を固定し、掘削ビット３１の掘削刃３を回転させ、傾斜地盤下層の岩盤４０を掘削し、掘削孔４１を形成する。なお、岩盤４０は通常地表７から２ｍ前後の位置にあるので、延長シャフト３４は掘削ビット３１がこれに届くに足る十分な長さとする。
【００３２】
この様にして、岩盤４０に掘削孔４１を形成したなら、延長シャフト３４から掘削ドリル３６を分離撤去し、図１３に示す様に、延長シャフト３４をガイドとして楔締用鋼管３８を掘削ビット３１に被せる。そして、この状態において、楔締用鋼管３８の頭部端面をハンマー等によって打撃する。すると、楔締用鋼管３８は図１４に矢印で示す様に、掘削孔４１の底の方へ向って前進し、この楔締用鋼管３８の先端側にはスリット３９が形成されているので、楔締用鋼管３８は掘削ビット３１のテーパ状部３２によって内側から強制的に押し拡げられ、掘削ビット３１の外周と掘削孔４１との間の隙間に嵌り込み、この楔締用鋼管３８はその拡張力によって岩盤４０に形成された掘削孔４１に強固に楔締され、アンカーとして作用することになる。
【００３３】
この状態において、延長シャフト３４を引き抜き、図９に示す様に楔締用鋼管３８の内部空間にメッシュ状筒体９を挿入し、地表７から突出している楔締用鋼管３８の頭部に支圧盤１０の貫通孔１１を挿通させ、楔締用鋼管３８の雄ねじ１２にナット１３を螺合し、これを締め付け、楔締用鋼管３８に緊張力を付与して傾斜地盤の固定を行う。
【００３４】
このとき、楔締用鋼管３８の周壁５には透孔６が設けられていると共に、楔締用鋼管３８の内側空間にはメッシュ状筒体９が内挿されているので、支持地盤１５の上部に地下水を含んだ帯水層８が存在している場合には、地下水は楔締用鋼管３８の透孔６及びメッシュ状筒体９を通ってその内部空間に流入し、地下水の上昇は阻止され、地盤の安定化が図られる。
なお、楔締用鋼管３８の内部には透孔６の孔径より小さい網目を有するメッシュ状筒体９が内挿されているので、このメッシュ状筒体９の濾過機能によって楔締用鋼管３８内への土砂の流入は阻止され、目詰りをおこすことはなく、長期的にわたってスムースに地下水の流入が行われる。
【００３５】
なお、楔締用鋼管３８内に流入した地下水は楔締用鋼管３８内にそのまま滞溜させても良いが、地下水をより一層減少させたい場合にはキャップ１４をはずして、楔締用鋼管３８の頭部開口端からパイプを挿入し、ポンプで楔締用鋼管３８の内部の水を積極的に吸い上げる様にしても良い。この様に、この実施例３においては、楔締用鋼管３８のアンカー機能と地下水の排出とによって、従来のものに比べ、はるかに強力に傾斜地盤の固定を実施することが出来る。又、この実施例３においても、図１７及び図１８に示す様な固定方法を用いることが出来る。
【実施例４】
【００３６】
図１５はこの発明に係る傾斜地盤安定具の実施例４の正面図、図１６はその縦断面図である。
【００３７】
図中３１は堀削ビットであり、堅牢な金属を素材とし、円柱状をなし、図１０に示す様に、その先端側端面には掘削刃３が取付けられていると共に、頭部側には截頭円錐形のテーパ状部３２が一体的に形成されており、このテーパ状部３２の端面中央からは同軸状に角柱状をなした接続係合用突起３３が突設されている
【００３８】
又、図１５及び図１６において、図中３８は楔締用鋼管、１８は延長用鋼管であり、円筒状をなしており、その内径は前記掘削ビット３１のテーパ状部３２の小径部分よりわずかに大きく形成されていると共に、先端側からは長手方向即ち軸芯に沿って複数条のスリット３９が形成されている。又、その周壁５には複数の透孔６が設けられていると共に、頭部寄りの内側周壁にはめねじ１７が形成されており、このめねじ１７に延長用鋼管１８の外周壁に形成されている雄ねじ１９を螺合させることにより、アンカー体１の頭部に延長用鋼管１８が長さ調整自在に接続される様になっている。そして、この延長用鋼管１８は支圧盤１０の貫通孔１１に挿通され、ナット１３によって支圧盤１０に固定される様になっている。
【００３９】
又、９はこの楔締用鋼管３８の内部空間に挿入されるメッシュ状筒体であり、このメッシュ状筒体９は前述の実施例１のものと全く同じである。他の部分は前述の実施例３のものと全く同じであり、同一符号を付してその説明を省略する。
【００４０】
この実施例４も、上述の実施例３と同じ要領により地中に設置して傾斜地盤固定の用に供するものであるが、楔締用鋼管３８は延長用鋼管１８を介して支圧盤１０に固定される様になっており、延長用鋼管１８のねじ込み量を調整することにより楔締用鋼管３８の実質的長さを自由に変更することが出来るので、図６に示す様に硬質で安定した支持地盤１５が不陸（ふりく）状態であっても、地表７へ突出する延長用鋼管１８  の頭部の長さをほぼ同一になる様にそろえることが出来、レベル調整の為にその頭部を削り揃える手間がなく、作業性が極めて良好である。なお、この実施例４においても、図１７及び図１８に示す様な固定方法を用いることが出来る。
【００４１】
又、上述の実施例３及び４においては、メッシュ状筒体９は単層構造のものを用いたが、図７に示す様に金属製あるいは合成樹脂製の濾過機能を有するメッシュ状外筒２０内に金属製あるいは合成樹脂製の多孔管２１を内装した二層構造のメッシュ状筒体９を用いても良く、この場合はメッシュ状筒体９の剛性を向上させることが出来る。
【産業上の利用可能性】
【００４２】
各種土木工事、特に防災工事の分野において広く利用可能である。
【図面の簡単な説明】
【００４３】
【図１】この発明に係る傾斜地盤安定具の実施例１の正面図。
【図２】同じく、その縦断面図。
【図３】同じく、螺旋翼４を複数個設けた実施例の部分正面図。
【図４】この発明に係る傾斜地盤安定具の実施例２の正面図。
【図５】同じく、その縦断面図。
【図６】不陸状態の地盤に実施例２を施工した状態の断面図。
【図７】本発明の構成要素の一つであるメッシュ状筒体９の他の実施例の一部を切欠いて描いた側面図。
【図８】この発明に係る傾斜地盤安定具の実施例３の正面図。
【図９】同じく、その縦断面図。
【図１０】実施例３の施工に用いる延長シャフト３４と掘削ドリル３６とを掘削ビット３１から分離して描いた正面図。
【図１１】実施例３の構成要素の一つである楔締用鋼管３８の斜視図。
【図１２】図１０に示した延長シャフト３４と掘削ドリル３６とを掘削ビット３１に結合した状態の正面図。
【図１３】実施例３を岩盤４０に打ち込む直前の状態の部分半截縦断面図。
【図１４】同じく、岩盤４０に打ち込み、延長シャフト３４を抜き取る前の状態の半截縦断面図。
【図１５】この発明に係る傾斜地盤安定具の実施例４の正面図。
【図１６】同じく、その縦断面図。
【図１７】排水機能を重視する場合のアンカー体１あるいは楔締用鋼管３８の固定要領を示した断面図。
【図１８】排出機能と支圧機能を共に重視した場合のアンカー体１あるいは楔締用鋼管３８の固定要領を示した断面図。
【符号の説明】
【００４４】
１    アンカー体
２    閉塞板
３    堀削刃
４    螺旋翼
５    周壁
６    透孔
７    地表
８    帯水層
９    メッシュ状筒体
１０    支圧盤
１１    貫通孔
１２    雄ねじ
１３    ナット
１４    キャップ
１５    支持地盤
１７    めねじ
１８    延長用鋼管
１９    雄ねじ
２０    メッシュ外筒
２１    多孔管
３１    堀削ビット
３２    テーパ状部
３３    接続係合用突起
３４    延長用シャフト
３５    接続係合用凹穿部
３６    堀削ドリル
３７    雄ねじ
３８    楔締用鋼管
３９    スリット
４０    岩盤
４１    掘削孔
【図１】
2006226051.tif 000003
【図２】
2006226051.tif 000004
【図３】
2006226051.tif 000005
【図４】
2006226051.tif 000006
【図５】
2006226051.tif 000007
【図６】
2006226051.tif 000008
【図７】
2006226051.tif 000009
【図８】
2006226051.tif 000010
【図９】
2006226051.tif 000011
【図１０】
2006226051.tif 000012
【図１１】
2006226051.tif 000013
【図１２】
2006226051.tif 000014
【図１３】
2006226051.tif 000015
【図１４】
2006226051.tif 000016
【図１５】
2006226051.tif 000017
【図１６】
2006226051.tif 000018
【図１７】
2006226051.tif 000019
【図１８】
2006226051.tif 000020